(57)【要約】【課題】横並びにして使用しても一様空気流を得ることができる空気吹き出し装置。【解決手段】空気吹き出し装置１が整流機構３３の下流側に通気性の板１１を有する。通気性の板１１は、整流機構３３の両側を越えて幅方向へ延びている。通気性の板１１には、幅方向と上下方向Ｙとに複数の通気孔７０が分布している。通気性の板１１の側縁１５は、装置１の側面部位７につながっている。側面部位７は、その厚さが少なくとも通気性の板１１の近傍において０．５〜２．５ｍｍの範囲にある。【選択図】図３
2011257017.tif 000002
【特許請求の範囲】
【請求項１】
上流側から下流側に向かって延びる空気の流路に整流機構とが設けられ、前記空気が前記整流機構を通過した後に前記整流機構の下流側に一様空気流となって供給される空気吹き出し装置であって、
前記装置は、前記一様空気流の流れ方向に一致し前記下流側を前方とする前後方向と、前記前後方向に直交する幅方向と、前記前後方向と前記幅方向とに直交する上下方向とを有し、
前記流路には、前記整流機構に対しての下流側であって前記整流機構から所要距離だけ離間した位置に前記幅方向と前記上下方向とに複数の通気孔が分布している通気性の板を設け、
前記通気性の板は、前記整流機構の両側それぞれを越えて前記幅方向へ延びる大きさを有し、
前記通気性の板の前記幅方向両側それぞれにあって前記上下方向へ延びる前記通気性の板の側縁には、前記通気性の板に直交するとともに前記上流側に向かって延びる前記装置の側面部位が形成され、
前記側面部位は、少なくとも前記通気性の板の近傍における厚さが０．５〜２．５ｍｍの範囲にあり、かつ前記装置の外側に向く面が平滑である
ことを特徴とする前記装置。
【請求項２】
前記側面部位は、前記通気性の板と一体の板状部分ではあるが前記通気孔が形成されていない請求項１記載の装置。
【請求項３】
前記側面部位は、２台の前記装置を横並びにしたときに、前記通気性の板における前記上下方向の全体にわたって前記２台における前記側面部位どうしが密着し得るように形成されている請求項１または２記載の装置。
【請求項４】
前記整流機構と前記通気性の板との間には、互いに並行して前記上下方向へ延びる両側壁および前記両側壁それぞれの端部につながって前記幅方向へ互いに並行して延びる頂壁と底壁とを有するスペーサが介在し、前記両側壁における前記幅方向の内寸は、前記整流機構の下流側の寸法に始まって前記下流側へ進むにつれて次第に大きくなり、前記両側壁それぞれが前記装置における前記側面部位を形成し、前記通気性の板は前記幅方向と前記上下方向との縁において前記両側壁と前記頂壁と前記底壁とのそれぞれにつながり、前記通気性の板の近傍における前記両側壁の厚さが０．５〜２．５ｍｍの範囲にある請求項１〜３のいずれかに記載の装置。
【請求項５】
前記通気性の板が前記装置において取り付け取り外し可能なものである請求項１〜４のいずれかに記載の装置。
【請求項６】
前記スペーサが前記装置において取り付け取り外し可能なものである請求項４または５記載の装置。
【請求項７】
前記通気性の板と前記スペーサとが互いに取り付け取り外し可能に形成されている請求項４〜６のいずれかに記載の装置。
【請求項８】
前記通気性の板は、前記通気孔の孔径が０．５〜４ｍｍの範囲にあって、前記通気孔の占める面積割合が２０〜５０％の範囲にある請求項１〜７のいずれかに記載の装置。
【発明の詳細な説明】
【技術分野】
【０００１】
この発明は、空気の一様流を供給可能な空気吹き出し装置に関し、より詳しくは少なくとも２台を横並びにして使用するのに好適な前記装置に関する。
【背景技術】
【０００２】
従来、局所的な作業空間の空気清浄度を向上させるために使用するクリーンベンチや局所的な作業空間において発生する有害物質をその作業空間や周辺の空間に拡散させることなく捕集するために使用するプッシュ・プル型換気装置は周知である。また、このクリーンベンチや換気装置に使用することのできる空気の吹き出し装置も周知である。
【０００３】
例えば、特開２００３−４２８７号公報（Ｐ２００３−４２８７Ａ、特許文献１）に記載の一様流吹き出し装置は、中空の筒体の前面側に空気吹き出し面を有する。空気吹き出し面の後方には、複数の分配板が設けられている。この装置に流入した空気は、分配板の間を通り抜けた後に空気吹き出し面から一様流となって吹き出される。
【０００４】
特開２００８−７５９４５号公報（Ｐ２００８−７５９４５Ａ、特許文献２）に記載の局所清浄化装置は、クリーンルーム内を局所的に清浄化するために使用するもので、空気の吹出ユニットが搭載された吹出装置と、空気の吸込ユニットが搭載された吸込装置とを備えている。これら両装置は、清浄化すべきクリーンルーム内の局所を挟むように配置される。
【０００５】
また、特開２００８−２７５２６６号公報（Ｐ２００８−２７５２６６Ａ、特許文献３）に記載された局所空気清浄化装置では、清浄化された空気の一様流を吹き出すことのできる一対のプッシュフードがその空気を吹き出すための空気流開口面を対向させるようにして使用される。すなわち、一対のプッシュフードは、それぞれからの空気流が衝突するような状態で使用されている。
【先行技術文献】
【特許文献】
【０００６】
【特許文献１】特開２００３−４２８７号公報
【特許文献２】特開２００８−７５９４５号公報
【特許文献３】特開２００８−２７５２６６号公報
【発明の概要】
【発明が解決しようとする課題】
【０００７】
一様空気流の作業空間を局所的に作り出すことができる従来の吹き出し装置は、その使用を容易にしたり、移動を容易にしたりするために比較的小型のものとして需用者に提供されることが多い。一方、作業の種類や作業の進め方によっては、一台または一対の吹き出し装置が作り出す作業空間では広さが足りないということがある。しかし、従来の吹き出し装置では、それを横並びにして使用しても、横並びになった装置が接し合う部分とその近傍の下流側には、一様空気流が供給されないという空間の生じることを避け難い。そのような空間は、一様空気流が供給されないから、それがたとえ作業空間のごく一部であるとしても作業空間として使用するには不適当である。
【０００８】
そこで、この発明では、吹き出し装置を横並びにして使用したときに、装置と装置との間にも下流側に向かっての一様空気流を得ることができるように、従来の吹き出し装置に改良を加えることを課題にしている。
【課題を解決するための手段】
【０００９】
前記課題を解決するために、この発明が対象とするのは、上流側から下流側に向かって延びる空気の流路に整流機構が設けられ、前記空気が前記整流機構を通過した後に前記整流機構の下流側に一様空気流となって供給される空気吹き出し装置である。
【００１０】
かかる空気吹き出し装置において、この発明が特徴とするところは以下のとおりである。すなわち、前記装置は、前記一様空気流の流れ方向に一致し前記下流側を前方とする前後方向と、前記前後方向に直交する幅方向と、前記前後方向と前記幅方向とに直交する上下方向とを有する。前記流路には、前記整流機構に対しての下流側であって前記整流機構から所要距離だけ離間した位置に前記幅方向と前記上下方向とに複数の通気孔が分布している通気性の板を設ける。前記通気性の板は、前記整流機構の両側それぞれを越えて前記幅方向へ延びる大きさを有する。前記通気性の板の前記幅方向両側それぞれにあって前記上下方向へ延びる前記通気性の板の側縁には、前記通気性の板に直交するとともに前記上流側に向かって延びる前記装置の側面部位が形成される。前記側面部位は、少なくとも前記通気性の板の近傍における厚さが０．５〜２．５ｍｍの範囲にあり、かつ前記装置の外側に向く面が平滑である。
【００１１】
この発明の実施形態の一つにおいて、前記側面部位は、前記通気性の板と一体の板状部分ではあるが前記通気孔が形成されていない。
【００１２】
この発明の実施形態の一つにおいて、前記側面部位は、２台の前記装置を横並びにしたときに、前記通気性の板における前記上下方向の全体にわたって前記２台における前記側面部位どうしが密着し得るように形成されている。
【００１３】
この発明の実施形態の一つにおいて、前記整流機構と前記通気性の板との間には、互いに並行して前記上下方向へ延びる両側壁および前記両側壁それぞれの端部につながって前記幅方向へ互いに並行して延びる頂壁と底壁とを有するスペーサが介在する。前記両側壁における前記幅方向の内寸は、前記整流機構の下流側の寸法に始まって前記下流側へ進むにつれて次第に大きくなり、前記両側壁それぞれが前記装置における前記側面部位を形成し、前記通気性の板は、前記幅方向と前記上下方向との縁において前記両側壁と前記頂壁と前記底壁とのそれぞれにつながっている。前記通気性の板の近傍における前記両側壁の厚さは、０．５〜２．５ｍｍの範囲にある。
【００１４】
この発明の実施形態の一つにおいて、前記通気性の板が前記装置において取り付け取り外し可能なものである。
【００１５】
この発明の実施形態の一つにおいて、前記スペーサが前記装置において取り付け取り外し可能なものである。
【００１６】
この発明の実施形態の一つにおいて、前記通気性の板と前記スペーサとが互いに取り付け取り外し可能に形成されている。
【００１７】
この発明の実施形態の一つにおいて、前記通気性の板は、前記通気孔の孔径が０．５〜４ｍｍの範囲にあって、前記通気孔の占める面積割合が２０〜５０％の範囲にある。
【発明の効果】
【００１８】
この発明に係る空気吹き出し装置では、上流側から下流側に向かう空気の流路に設けられた整流機構の下流側に、その整流機構から所要距離だけ離間させて通気性の板を設けてある。通気性の板は整流機構の両側それぞれを越えて幅方向へ延びる幅の広いものであって、複数の通気孔が幅方向と上下方向とに分布している。通気性の板の側縁には、この装置における側面部位がつながっている。その側面部位は、少なくとも通気性の板の近傍においてはその厚さが０．５〜２．５ｍｍの範囲にあって、装置の外側に向く面が平滑に形成されている。それゆえ、整流機構を通過した空気は、通気性の板に当たって幅方向と上下方向とのうちの少なくとも幅方向へ広がり、通気性の板の幅方向の全体から下流側へ吹き出される。２台の装置を横並びにしたときには、装置の平滑な側面部位どうしが密着し、その側面部位は厚さが０．５〜２．５ｍｍの範囲にあるから、２台の装置の通気性の板から吹き出される空気は、横並びになった装置が接し合う部分とその近傍の下流側にも流れて、２台の装置における通気性の板の下流側全体が一様空気の流れる作業空間として使用できるようになる。
【図面の簡単な説明】
【００１９】
【図１】空気吹き出し装置の斜視図。
【図２】図１のＩＩ−ＩＩ線断面図。
【図３】図１のＩＩＩ−ＩＩＩ線断面図。
【図４】図２の部分拡大図。
【図５】図２の部分拡大図。
【図６】図３の部分拡大図。
【図７】実施態様の一例を示す図１と同様な図。
【図８】図７のＶＩＩＩ−ＶＩＩＩ線断面図。
【図９】図７のＩＸ−ＩＸ線断面図。
【図１０】図９の部分拡大図。
【図１１】実施態様の一例を示す図。
【発明を実施するための形態】
【００２０】
添付の図面を参照して、この発明に係る空気吹き出し装置の詳細を説明すると、以下のとおりである。
【００２１】
図１，２，３において、図１は空気吹き出し装置１の斜視図であり、図２は図１のＩＩ−ＩＩ線断面図であり、図３は図１のＩＩＩ−ＩＩＩ線断面図である。これらの図の装置１において、双頭矢印Ｘは幅方向、双頭矢印Ｙは上下方向、双頭矢印Ｚは前後方向を示している。装置１で前方というときには、後記後面部３が前面部２へ向かう方向を意味している。
【００２２】
図１に例示の空気吹き出し装置１は、前面部２と、後面部３と、頂面部４と、底面部６と、両側面部７とを有する。装置１はまた、それを上下方向Ｙで見ると、空気吹き出し部２２と、その上方に位置する操作部１２と、下方に位置する外気採り入れ部２１とを有する。底面部６には、装置１を移動させるためのキャスター１３が取り付けられている。
【００２３】
装置１において、空気は外気採り入れ部２１における後面部３の側から採り入れられて、空気吹き出し部２２における吹き出し板１１から空気の一様流となって吹き出される。図における矢印Ａ，Ｂは、上流側から下流側に向かって流れる空気の流れ方向を示している。操作部１２における前面部２には、空気吹き出し装置１を始動させたり停止させたりするためのオン・オフスイッチ１２ａや装置１における後記フィルタ２４，２９（図２参照）の目詰まり状態をモニタするための表示部１２ｂ等が含まれている。図１にはまた、空気吹き出し装置１と同じものではあるが、装置１に対して横並びになった状態で使用される２台目の空気吹き出し装置１ｂが仮想線で示されている。空気吹き出し装置１と２台目の空気吹き出し装置１ｂとは、側面部７どうしまたは側面部７の一部分どうしが密着し、互いに離間することがないように、好ましくは適宜の連結具（図示せず）を使用して互いに固定されている。
【００２４】
図２には、装置１の上下方向Ｙにおける内部構造と装置１における空気の流路とが示されている。なお、操作部１２の内部には、装置１を運転するために必要な電気配線や回路基板等が収納されているが、それらの図示は省略されている。
【００２５】
図２において、装置１の下方部分を形成する外気採り入れ部２１は、装置１の後面部３に通気性の第１後面パネル２３を有する。第１後面パネル２３の内側、すなわち第１後面パネル２３の下流側には、前処理フィルタ２４が取り外し可能な状態でセットされている。前処理フィルタ２４の下流側にはシロッコファン等の外気採り入れ用のファン２６がセットされている。ファン２６は、前面部２の一部分を形成している前面パネル２７を外すことによって、点検作業や交換作業が可能になる。ファン２６が回転すると、外気が第１後面パネル２３と前処理フィルタ２４とを通過して矢印Ｆ１で示す流れとなり、さらにファン２６を経由して矢印Ｆ２で示す流れとなって装置１の空気吹き出し部２２へ進む。
【００２６】
空気吹き出し部２２では、後面部３が非通気性の第２後面パネル２５で形成されている。空気吹き出し部２２における上流側には、外気採り入れ部２１からの空気の流れＦ２を流入させる第１スペース２８が形成されている。第１スペース２８の下流側にはＨＥＰＡフィルタを一例とする高性能フィルタ２９が取り外し可能な状態でセットされている。高性能フィルタ２９の下流側には、高性能フィルタ２９を通過した後の空気のみを流入させて、その空気を装置１の上下方向Ｙと幅方向Ｘとに広げることが可能な第２スペース３２が形成されている。第２スペース３２の下流側には装置１における整流機構として作用する整流ユニット３３が取り外し可能な状態でセットされ、その整流ユニット３３の下流側には吹き出し板１１が取り外し可能な状態でセットされている。吹き出し板１１は、装置１に採り入れた空気が最後に通過する通気性の板、換言すると装置１の最前部に位置している通気性の板である。空気の流れＦ２は、空気吹き出し部２２において流れＦ３，Ｆ４となって吹き出し板１１の外へ一様流となって出る。これらの流れＦ２，Ｆ３，Ｆ４は、装置１における空気の流路を示すものでもある。
【００２７】
図３で明らかなように、吹き出し部２２における幅方向Ｘの寸法は、高性能フィルタ２９、第２スペース３２、整流ユニット３３、吹き出し板１１の順に大きくなっているが、第１スペース２８の幅方向Ｘの寸法Ｗ１は高性能フィルタ２９の幅方向Ｘの寸法よりも大きい。その第１スペース２８において、寸法Ｗ１で示されている部位は、外気採り入れ部２１につながる開口２０である。外気採り入れ部２１のファン２６で送られた空気は流れＦ２となり、開口２０を通って第１スペース２８へ進入する（図２参照）。吹き出し板１１は、幅方向Ｘの両側それぞれに位置する側縁１５において装置１の後面部３に向かって直角に折曲されることによって折曲部１１ａを形成し、その折曲部１１ａが装置１の側面部７の一部分になっている。折曲部１１ａは、外面が平滑であり、水平な床面（図示せず）に対して垂直となるように上下方向Ｙ（図１参照）へ延びている。高性能フィルタ２９における上流側の面には、取り外し可能な止め具２９ａが圧接している。
【００２８】
図４は、図２における部分ＩＶの拡大図である。操作部１２は、前後方向Ｚへ水平に延びる底板部１２ｃを有する。吹き出し部２２は、垂直に延びる吹き出し板１１につながって水平に延びる天板部１１ｂを有し、その天板部１１ｂには底板部１２ｃがボルト３６によって固定されている。吹き出し部２２の内部では、整流ユニット３３が固定用枠部材３７に嵌められ、固定されている。枠部材３７は、周壁部３８と前方開口部３９とを有し、周壁部３８における厚肉部３８ａが天板部１１ｂに対して固定された状態にある。吹き出し板１１と枠部材３７との間には第３スペース４１が形成され、天板部１１ｂと周壁部３８との間には第４スペース４２が形成されている。第３スペース４１における前後方向の寸法Ｄ１は、吹き出し板１１と後記第２ハニカムプレート５７との間の距離であり、また、第４スペース４２における上下方向Ｙの寸法Ｄ２は、天板部１１ｂと後記整流ユニット３３との間の距離である。好ましい装置１において、寸法Ｄ１は５〜１００ｍｍの範囲にあり、寸法Ｄ２は０．５〜４０ｍｍの範囲にある。寸法Ｄ２が０．５ｍｍまたはそれに近い値になり得るのは、ボルト３６が不要で、天板部１１ｂと固定用枠部材３７とを接触させることができる場合である。
【００２９】
図５は、図２における部分Ｖの拡大図である。吹き出し部２２は、吹き出し板１１につながって後方へ水平に延びる非通気性の底板部１１ｃを有する。底板部１１ｃと固定用枠部材３７の周壁部３８との間には第５スペース４３が形成され、その第５スペース４３は第３スペース４１につながっている。底板部１１ｃの内面には固定用枠部材３７の厚肉部３８ａが固定されている。吹き出し部２２の下方に位置する外気採り入れ部２１は、前面パネル２７と天板部４７とを有し、天板部４７において上方へ延びるピン４８が空気吹き出し部２２における底板部１１ｃの孔部４９に進入して、外気採り入れ部２１に対する空気吹き出し部２２の位置決め手段として作用している。外気採り入れ部２１の内部は、ファン２６（図２参照）を取り付けるためのリブ構造部を有するが、その構造部についての詳細説明は省略する。
【００３０】
さらに図５において、整流ユニット３３は、上流側から下流側に向かって第１ハニカムプレート５１、第１スペーサ５２、第１パンチングプレート５３、第２スペーサ５４、第２パンチングプレート５５、第３スペーサ５６、第２ハニカムプレート５７が順に並び、これら各部材５１〜５７が固定用枠部材３７によって一体的に保持されている。固定用枠部材３７は、パッキング５８を介して、第２スペース３２を形成している枠部材５９に密着している。ただし、この発明において、整流ユニット３３の構造は、図示例のものに限定されるわけではない。
【００３１】
第１，第２ハニカムプレート５１，５７は、空気の流れに対しての整流効果を有するものであって、ハニカム構造におけるすべての通気孔（図示せず）が上流側から下流側に向かって延びるように使用されていて、これら通気孔を通過した空気が下流側に向かって直進する。
【００３２】
第１，第２，第３スペーサ５２，５４，５６のそれぞれは、第１ハニカムプレート５１と第１パンチングプレート５３との間の第６スペース６１、第１パンチングプレート５３と第２パンチングプレート５５との間の第７スペース６２、第２パンチングプレート５５と第２ハニカムプレート５７との間の第８スペース６３のそれぞれを形成するために使用されている枠部材である。第６，第７，第８スペース６１，６２，６３では、下流側に向かって流れる空気が第１パンチングプレート５３や第２パンチングプレート５５、第２ハニカムプレート５７の上流側において装置１の幅方向Ｘや上下方向Ｙに広がるスペースを提供している。
【００３３】
第１パンチングプレート５３と第２パンチングプレート５５とは、幅方向Ｘや上下方向Ｙに広がった空気が第２ハニカムプレート５７に向かって流れることを可能にしている。
【００３４】
高性能フィルタ２９を出て流れＦ３（図２参照）となって整流ユニット３３に進入した空気は、第２ハニカムプレート５７から吹き出されて、第２ハニカムプレート５７の下流側に形成された第３スペース４１に入る。第３スペース４１では、空気が幅方向Ｘと上下方向Ｙとに広がって、吹き出し板１１の前面の全体から空気の一様流である流れＦ４（図２参照）となって下流方向Ｂへ吹き出される。第３スペース４１における空気は、第４，第５スペース４２，４３へも流れるが、吹き出し板１１につながる折曲部１１ａや天板部１１ｂ、底板部１１ｃは非通気性であるから、空気吹き出し部２２における空気は吹き出し板１１のみから、すなわち空気吹き出し部２２の前面のみから吹き出される。なお、第５スペース４３における寸法Ｄ３は、底板部１１ｃと整流ユニット３３との間の距離であって、好ましい装置１において寸法Ｄ３は０．５〜４０ｍｍの範囲にある。寸法Ｄ３が０．５ｍｍまたはそれに近い値になり得るのは、ピン４８が第５スペース４３に進入しておらず、底板部１１ｃと整流ユニット３３とを接触させることができる場合である。
【００３５】
図６は、図３における部分ＶＩの拡大図であって、吹き出し板１１における側縁１５の近傍の構造を示している。図６において、整流ユニット３３の下流側に位置する吹き出し板１１は、整流ユニット３３における第２ハニカムプレート５７を寸法Ｄ４だけ越えて幅方向Ｘへ延びている。その第２ハニカムプレート５７は、下流側へ向かう空気の流れが最後に通過する整流板である。第２ハニカムプレート５７を通過した空気は、第３スペース４１において幅方向Ｘと上下方向Ｙとのうちの少なくとも幅方向Ｘへ広がって、吹き出し板１１の幅方向Ｘの全体から吹き出される。吹き出し板１１につながる折曲部１１ａと整流ユニット３３との間には第９スペース６４が形成されていて、その第９スペース６４は第３スペース４１と第４スペース４２（図４参照）と第５スペース４３（図５参照）とにつながっている。側面部７の一部分である折曲部１１ａは非通気性であって、第９スペース６４に流入した空気は装置１の外へ出ることがない。整流ユニット３３の上流側は、パッキング５８を介して枠部材５９に密着している。なお、寸法Ｄ４は、第９スペース６４における折曲部１１ａと整流ユニット３３との間の距離でもあって、好ましい装置１において、寸法Ｄ４は０．５〜４０ｍｍの範囲にある。
【００３６】
このように形成されている装置１の整流ユニット３３において、第１，第２ハニカムプレート５１，５７の一例としては、ハニカム構造における通気孔の孔径が１〜１０ｍｍの範囲にあり、通気孔の長さ、換言するとハニカムプレートの厚さが３〜３０ｍｍの範囲にあるものを使用することができる。第１，第２パンチングプレート５３，５５の一例としては、厚さが０．５〜２．５ｍｍのステンレスプレートであって、孔径が０．５〜４ｍｍの範囲にあり、通気孔が一様に形成されていて、通気孔の占める面積割合が２０〜５０％の範囲にあるものを使用することができる。
【００３７】
整流ユニット３３の下流側に位置する吹き出し板１１の一例としては、０．５〜２．５ｍｍの厚さを有するパンチングプレート等の金属プレートであって、孔径が０．５〜４ｍｍの範囲にある通気孔７０（図１参照）が一様に形成されていて、その通気孔７０の占める面積割合が２０〜５０％の範囲にあるものを使用することができる。通気孔７０は、例えばピッチが１〜６ｍｍにおさまるようにしながら千鳥模様を画くように並べたり、格子模様を画くように並べたりすることができる。ただし、通気孔７０は、吹き出し板１１の各部分において孔径やピッチを変化させることができる。吹き出し板１１につながる折曲部１１ａや天板部１１ｂ、底板部１１ｃは、厚さが吹き出し板１１の厚さと同じであるか、吹き出し板１１の厚さよりも薄いことが好ましい。これらの折曲部１１ａや天板部１１ｂ、底板部１１ｃは、吹き出し板１１を形成している金属プレートのうちで通気孔７０が形成されていない周縁部を折曲することにより得ることができるが、吹き出し板１１とは別体の板部材を吹き出し板１１の周縁に取り付けることによって得ることもできる。
【００３８】
このように形成されている装置１は、少なくても２台のものを図１に例示の如く横並びにして、側面部７、特に側面部７の一部分である折曲部１１ａどうしを密着させて使用すると、吹き出し板１１は上下方向Ｙの全体が互いに密着する。このときに隣り合う装置１の吹き出し板１１が幅方向Ｘにおいて離間する幅は、折曲部１１ａの厚さの２倍であって、この発明によればその幅は高々５ｍｍ程度である。これら２台の装置１を運転したときに、それぞれの吹き出し板１１から吹き出される空気は、装置１の下流側においてその５ｍｍ程度の幅の内側に容易に入り、２台の装置１における吹き出し板１１の幅方向Ｘの全体を空気が一様空気流となって流れる作業空間にすることができる。このように作用する装置１は、周知のプッシュ・プル型のクリーンベンチにおけるプッシュ側の空気吹き出し装置として使用したり、プッシュ・プッシュ型のクリーン空間形成装置における空気吹き出し装置として使用したりすることができる。装置１をプッシュ・プル型の換気装置で使用する場合、使用目的に如何によっては、前処理フィルタ２４および／または高性能フィルタ２９を使用することなく装置１を運転することができる。また、プッシュ・プル型換気装置およびプッシュ・プッシュ型クリーン空間形成装置のいずれにおいても、装置１にはファン２６を取り付けず、そのファン２６に代えて装置１とは別体のブロワーから装置１に対して空気を供給することもできる。
【００３９】
図７は、実施形態の一例を示す装置１についての図１と同様な斜視図である。図７の装置１では、図１における吹き出し板１１に代わる拡張型吹き出しユニット１０１が取り外し可能な状態で使用されている。ユニット１０１は、装置１における上流側の側面部７と７との間の幅よりも大きく作られていて、後方へ延びるアーム１０２が側面部７に取り外し可能に固定されている。ユニット１０１は、ユニット１０１の前面を形成する拡張型吹き出し板１１１と、拡張型吹き出し板１１１と空気吹き出し部２２（図８参照）との間に位置するスペーサ１１５とを含み、拡張型吹き出し板１１１をスペーサ１１５に取り外し可能な状態で一体化している。そのスペーサ１１５は、非通気性の側板１１２と、非通気性の天板１１３と、非通気性の底板１１４とを含んでいる。装置１における空気は、拡張型吹き出し板１１１の全体から一様に下流方向Ｂへ吹き出される。その拡張型吹き出し板１１１には、吹き出し板１１における態様と同じ態様で通気孔７０が形成されている。また、２台の装置１は、ユニット１０１の側板１１２の一部分が密着した状態で横並びになっている。
【００４０】
図８は、図７のＶＩＩＩ−ＶＩＩＩ線断面図である。内部構造の図示が省略されている操作部１２の下には空気吹き出し部２２が形成され、空気吹き出し部２２の下流側にはユニット１０１がセットされている。ユニット１０１におけるスペーサ１１５は、空気吹き出し部２２に向かっての開口１２０を有し、開口１２０の周縁部１１６と空気吹き出し部２２との間には非通気性のパッキング１１７が介在している。ユニット１０１の内部は空洞であり、スペーサ１１５の一部分である天板１１３は、整流ユニット３３よりも上方に位置している。そのような天板１１３と整流ユニット３３との間には寸法Ｄ５の距離がある。好ましい装置１において、寸法Ｄ５は０．５〜４０ｍｍの範囲にある。寸法Ｄ５が０．５ｍｍまたはそれに近い値になり得るのは、ボルト３６が不要で、天板部１１ｂと固定用枠部材３７とを接触させることができる場合である。ただし、図において天板１１３が整流ユニット３３の頂部よりも下方にある態様で、この発明を実施することもできる。図８において、整流ユニット３３に使用されている固定用枠部材３７は、図４のそれとは異なり、第２ハニカムプレート５７の下流側の面、すなわち前面と接触するようには延びておらず、その下流側の面には直径０．５〜３ｍｍの線材３７ａが格子状に配置してあって、第２ハニカムプレート５７を下流側から上流側に向かって支えている。
【００４１】
図９は、図７のＩＸ−ＩＸ線断面図である。スペーサ１１５の一部である側板１１２は、整流ユニット３３の前方から下流方向Ｂに向かって幅方向の内寸Ｗ３が次第に大きくなる第１部分１１２ａと、第１部分１１２ａの前端から下流方向Ｂに向かって延びていて拡張型吹き出し板１１１と直交している第２部分１１２ｂとを有する。第１部分１１２ａは上流側に周縁部１１６を有し、その周縁部１１６は、少なくとも整流ユニット３３の前面の幅と同じ幅を有する開口１２０を画成している。
【００４２】
図１０は、図９における部分Ｘの拡大図である。ユニット１０１では、側板１１２の第１部分１１２ａが幅方向Ｘにおいて装置１の側面部７を越えるように、下流方向Ｂへ斜めに延びている。それゆえ、第２部分１１２ｂにおける内寸Ｗ３は、装置１における側面部７と７との間の幅よりも広くなっている。このように幅方向Ｘに広がりを持ったスペーサ１１５を含むユニット１０１は、整流ユニット３３から出た空気を整流ユニット３３における幅方向Ｘと上下方向Ｙとのうちの少なくとも幅方向Ｘへ容易に広げることができる。また、図示例の内寸Ｗ３を有するユニット１０１が使用されている図７の２台の装置１では、側板１１２の第２部分１１２ｂどうしが密着するように横並びにすることができて、そのときに装置１の側面部７は横並びにすることの邪魔になることがない。
【００４３】
このように使用されるユニット１０１は、側板１１２の第２部分１１２ｂの厚さを０．５〜２．５ｍｍの範囲におさめておくことによって、横並びにしてある少なくとも２台の装置１について、図１に例示の装置１と同様な効果を得ることができる。ユニット１０１はまた、拡張型吹き出し板１１１における第２部分１１２ｂどうしの間の内寸Ｗ３を整流ユニット３３の幅よりも２０〜１００ｍｍ大きくすることが好ましい。ユニット１０１の前後方向Ｚの寸法は、２０〜１５０ｍｍであることが好ましい。
【００４４】
図１１もまた、この発明の実施態様の一例を示す図である。図１１では、４台の装置１が幅方向Ｘと上下方向Ｙとに密着して並ぶ状態で使用されている。それぞれの装置１からは下流方向Ｂへ空気が吹き出され、装置１の下流側と、装置１どうしが接し合う部分とその近傍との下流側とに空気が一様流となって流れるので、空気の流れる広い作業空間を得ることができる。なお、４台の装置１は互いに動くことがないように、適宜の連結手段（図示せず）を介して互いに固定されていることが好ましい。
【００４５】
図１１において使用されている装置１のそれぞれは、空気吹き出し部２２の後方に外気採り入れ部２１が形成されていて、図にはその外気採り入れ部２１における採気孔２１ｂが見えている。空気吹き出し部２２は、通気孔７０が形成されている吹き出し板１１と、吹き出し板１１につながる折曲部１１ａと、天板部１１ｂと、底板部１１ｃとを有し、折曲部１１ａと、天板部１１ｂと、底板部１１ｃとは好ましくは非通気性であって、平滑であり、水平な床面１００に対して垂直または平行に延びていて、４台の装置１の間では折曲部１１ａどうしを密着させることができることに加えて、天板部１１ｂと底板部１１ｃとを密着させることもできる。折曲部１１ａと、天板部１１ｂと、底板部１１ｃとは、厚さが０．５〜２．５ｍｍの金属プレートで形成されている。図の如く並べた装置１どうしの間には、折曲部１１ａどうしが密着して幅が高々５ｍｍである空気の吹き出しのない範囲、および天板部１１ｂと底板部１１ｃとが密着して幅が高々５ｍｍである空気の吹き出しのない範囲が生じ得る。しかし、吹き出し板１１の大きさと、その上流側にある整流ユニット３３の大きさとが図４〜６の如く形成されている装置１による図１１の如き集合体では、図１の装置１を横並びにした場合と同様に、互いに密着している装置１どうしの間における空気の吹き出しのない部位の下流側に対して、それぞれの吹き出し板１１からの空気を流すことが可能であり、装置１の集合体の下流側に空気の流れる広い作業空間を得ることができる。ただし、図１１において使用する装置１は、寸法Ｄ２，Ｄ３が０．５〜４０ｍｍの範囲にあることが好ましい。
【符号の説明】
【００４６】
１    吹き出し装置
７    側面部位（側面部）
１１    通気性の板（吹き出し板）
１１ａ  側面部位（折曲部）
１５    側縁
７０    通気孔
１１２    側板
１１３    天板
１１４    底板
１１５    スペーサ
Ｗ３    内寸
Ｘ    幅方向
Ｙ    上下方向
Ｚ    前後方向
【図１】
2011257017.tif 000003
【図２】
2011257017.tif 000004
【図３】
2011257017.tif 000005
【図４】
2011257017.tif 000006
【図５】
2011257017.tif 000007
【図６】
2011257017.tif 000008
【図７】
2011257017.tif 000009
【図８】
2011257017.tif 000010
【図９】
2011257017.tif 000011
【図１０】
2011257017.tif 000012
【図１１】
2011257017.tif 000013